【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
記憶装置を持ち、前記記憶装置の記憶領域の更新内容を保持しない第１のモードと、前記記憶装置の記憶領域の更新内容を保持する第２のモードとにより選択起動可能な複数のクライアント端末と、前記クライアント端末の起動モードを制御する管理サーバとを含む情報処理システムであって、
前記管理サーバは、
前記クライアント端末の記憶装置の記憶領域を更新する差分のディスクイメージを作成するクライアント端末を、前記複数のクライアント端末の中から決定する決定手段と、
前記決定手段にて決定されたクライアント端末に対して、前記差分のディスクイメージを作成するクライアント端末として第２のモードで起動するように起動指示を送信する送信手段と
を備え、
前記複数のクライアント端末はそれぞれ、
前記送信された起動指示に従って自端末を起動する起動制御手段と、
前記差分のディスクイメージを作成するクライアント端末として第２のモードで起動した場合に、自端末の記憶装置の記憶領域に対して受け付けた更新部分の差分のディスクイメージを作成する差分イメージ作成手段と
を備えることを特徴とする情報処理システム。
【請求項２】
前記差分イメージ作成手段による差分のディスクイメージの作成後に、前記クライアント端末の記憶装置の記憶領域に対して受け付けた更新部分を更新前に戻す復旧手段
を備えることを特徴とする請求項１に記載の情報処理システム。
【請求項３】
前記送信手段は、前記復旧手段により前記クライアント端末の記憶装置の記憶領域に対して受け付けた更新部分を更新前に戻した後、前記クライアント端末に対して、第１の起動モードで起動するように起動指示を送信することを特徴とする請求項２に記載の情報処理システム。
【請求項４】
記憶装置を持ち、前記記憶装置の記憶領域の更新内容を保持しない第１のモードと、前記記憶装置の記憶領域の更新内容を保持する第２のモードとにより選択起動可能な複数のクライアント端末と通信可能に接続され、前記クライアント端末の起動モードを制御する管理サーバであって、
前記クライアント端末の記憶装置の記憶領域を更新する差分のディスクイメージを作成するクライアント端末を、前記複数のクライアント端末の中から決定する決定手段と、
前記決定手段にて決定されたクライアント端末に対して、前記差分のディスクイメージを作成するクライアント端末として第２のモードで起動するように起動指示を送信する送信手段と
を備えることを特徴とする管理サーバ。
【請求項５】
記憶装置を持ち、前記記憶装置の記憶領域の更新内容を保持しない第１のモードと、前記記憶装置の記憶領域の更新内容を保持する第２のモードとにより選択起動可能な複数のクライアント端末と、前記クライアント端末の起動モードを制御する管理サーバとを含む情報処理システムであって、
前記管理サーバは、
前記クライアント端末にリストアするディスクイメージを決定するイメージ決定手段と、
前記クライアント端末に対して、前記決定されたディスクイメージの識別情報とともに第２のモードでの起動指示を送信する送信手段と
を備え、
前記複数のクライアント端末はそれぞれ、
前記送信された起動指示に従って自端末を起動する起動制御手段と、
前記ディスクイメージの識別情報を受けて第２のモードで起動した場合に、当該ディスクイメージの識別情報に対応するディスクイメージをリストアすることにより自端末の記憶装置の記憶領域を更新するリストア手段と
を備えることを特徴とする情報処理システム。
【請求項６】
記憶装置を持ち、前記記憶装置の記憶領域の更新内容を保持しない第１のモードと、前記記憶装置の記憶領域の更新内容を保持する第２のモードとにより選択起動可能な複数のクライアント端末と通信可能に接続され、前記クライアント端末の起動モードを制御する管理サーバであって、
前記クライアント端末にリストアするディスクイメージを決定するイメージ決定手段と、
前記クライアント端末に対して、前記決定されたディスクイメージの識別情報とともに第２のモードでの起動指示を送信する送信手段と
を備えることを特徴とする管理サーバ。
【請求項７】
記憶装置を持ち、前記記憶装置の記憶領域の更新内容を保持しない第１のモードと、前記記憶装置の記憶領域の更新内容を保持する第２のモードとにより選択起動可能な複数のクライアント端末と、前記クライアント端末の起動モードを制御する管理サーバとを含む情報処理システムの制御方法であって、
前記管理サーバは、
決定手段が、前記クライアント端末の記憶装置の記憶領域を更新する差分のディスクイメージを作成するクライアント端末を、前記複数のクライアント端末の中から決定する決定ステップと、
送信手段が、前記決定ステップにて決定されたクライアント端末に対して、前記差分のディスクイメージを作成するクライアント端末として第２のモードで起動するように起動指示を送信する送信ステップと
を備え、
前記複数のクライアント端末はそれぞれ、
差分イメージ作成手段が、前記差分のディスクイメージを作成するクライアント端末として第２のモードで起動した場合に、自端末の記憶装置の記憶領域に対して受け付けた更新部分の差分のディスクイメージを作成する差分イメージ作成ステップと
を備えることを特徴とする情報処理システムの制御方法。
【請求項８】
記憶装置を持ち、前記記憶装置の記憶領域の更新内容を保持しない第１のモードと、前記記憶装置の記憶領域の更新内容を保持する第２のモードとにより選択起動可能な複数のクライアント端末と、前記クライアント端末の起動モードを制御する管理サーバとを含む情報処理システムにおいて実行可能なプログラムであって、
前記管理サーバを、
前記クライアント端末の記憶装置の記憶領域を更新する差分のディスクイメージを作成するクライアント端末を、前記複数のクライアント端末から決定する決定手段と、
前記決定手段にて決定されたクライアント端末に対して、前記差分のディスクイメージを作成するクライアント端末として第２のモードで起動するように起動指示を送信する送信手段
として機能させ、
前記複数のクライアント端末をそれぞれ、
前記差分のディスクイメージを作成するクライアント端末として第２のモードで起動した場合に、自端末の記憶装置の記憶領域に対して受け付けた更新部分の差分のディスクイメージを作成する差分イメージ作成手段
として機能させることを特徴とするプログラム。
【手続補正２】
【補正対象書類名】明細書
【補正対象項目名】発明の名称
【補正方法】変更
【補正の内容】
【発明の名称】情報処理システム、管理サーバ、制御方法、プログラム
【手続補正３】
【補正対象書類名】明細書
【補正対象項目名】０００６
【補正方法】変更
【補正の内容】
【０００６】
そこで、本発明では、任意のクライアント端末を用いて差分のディスクイメージを作成できる仕組みを提供することを目的とする。
【手続補正４】
【補正対象書類名】明細書
【補正対象項目名】０００７
【補正方法】変更
【補正の内容】
【０００７】
本発明の情報処理システムは、記憶装置を持ち、前記記憶装置の記憶領域の更新内容を保持しない第１のモードと、前記記憶装置の記憶領域の更新内容を保持する第２のモードとにより選択起動可能な複数のクライアント端末と、前記クライアント端末の起動モードを制御する管理サーバとを含む情報処理システムであって、前記管理サーバは、前記クライアント端末の記憶装置の記憶領域を更新する差分のディスクイメージを作成するクライアント端末を、前記複数のクライアント端末の中から決定する決定手段と、前記決定手段にて決定されたクライアント端末に対して、前記差分のディスクイメージを作成するクライアント端末として第２のモードで起動するように起動指示を送信する送信手段とを備え、前記複数のクライアント端末はそれぞれ、前記送信された起動指示に従って自端末を起動する起動制御手段と、前記差分のディスクイメージを作成するクライアント端末として第２のモードで起動した場合に、自端末の記憶装置の記憶領域に対して受け付けた更新部分の差分のディスクイメージを作成する差分イメージ作成手段とを備えることを特徴とする。また、本発明の管理サーバは、記憶装置を持ち、前記記憶装置の記憶領域の更新内容を保持しない第１のモードと、前記記憶装置の記憶領域の更新内容を保持する第２のモードとにより選択起動可能な複数のクライアント端末と通信可能に接続され、前記クライアント端末の起動モードを制御する管理サーバであって、前記クライアント端末の記憶装置の記憶領域を更新する差分のディスクイメージを作成するクライアント端末を、前記複数のクライアント端末の中から決定する決定手段と、前記決定手段にて決定されたクライアント端末に対して、前記差分のディスクイメージを作成するクライアント端末として第２のモードで起動するように起動指示を送信する送信手段とを備えることを特徴とする。
【手続補正５】
【補正対象書類名】明細書
【補正対象項目名】０００８
【補正方法】変更
【補正の内容】
【０００８】
本発明の制御方法は、記憶装置を持ち、前記記憶装置の記憶領域の更新内容を保持しない第１のモードと、前記記憶装置の記憶領域の更新内容を保持する第２のモードとにより選択起動可能な複数のクライアント端末と、前記クライアント端末の起動モードを制御する管理サーバとを含む情報処理システムの制御方法であって、前記管理サーバは、決定手段が、前記クライアント端末の記憶装置の記憶領域を更新する差分のディスクイメージを作成するクライアント端末を、前記複数のクライアント端末の中から決定する決定ステップと、送信手段が、前記決定ステップにて決定されたクライアント端末に対して、前記差分のディスクイメージを作成するクライアント端末として第２のモードで起動するように起動指示を送信する送信ステップとを備え、前記複数のクライアント端末はそれぞれ、差分イメージ作成手段が、前記差分のディスクイメージを作成するクライアント端末として第２のモードで起動した場合に、自端末の記憶装置の記憶領域に対して受け付けた更新部分の差分のディスクイメージを作成する差分イメージ作成ステップとを備えることを特徴とする。
【手続補正６】
【補正対象書類名】明細書
【補正対象項目名】０００９
【補正方法】変更
【補正の内容】
【０００９】
本発明のプログラムは、記憶装置を持ち、前記記憶装置の記憶領域の更新内容を保持しない第１のモードと、前記記憶装置の記憶領域の更新内容を保持する第２のモードとにより選択起動可能な複数のクライアント端末と、前記クライアント端末の起動モードを制御する管理サーバとを含む情報処理システムにおいて実行可能なプログラムであって、前記管理サーバを、前記クライアント端末の記憶装置の記憶領域を更新する差分のディスクイメージを作成するクライアント端末を、前記複数のクライアント端末から決定する決定手段と、前記決定手段にて決定されたクライアント端末に対して、前記差分のディスクイメージを作成するクライアント端末として第２のモードで起動するように起動指示を送信する送信手段として機能させ、前記複数のクライアント端末をそれぞれ、前記差分のディスクイメージを作成するクライアント端末として第２のモードで起動した場合に、自端末の記憶装置の記憶領域に対して受け付けた更新部分の差分のディスクイメージを作成する差分イメージ作成手段として機能させることを特徴とするプログラム。
【手続補正７】
【補正対象書類名】明細書
【補正対象項目名】００１０
【補正方法】変更
【補正の内容】
【００１０】
本発明によると、任意のクライアント端末を用いて差分のディスクイメージを作成できるようになる。